(57)【特許請求の範囲】
【請求項１】
一枚のブランクシートから一体的に打ち抜かれた箱体形成片から成り、
前記箱体形成片には、正面板、底面板、背面板及び上蓋片が順に互いに平行に連接され、前記正面板、前記底面板、及び前記背面板の連接方向に対して直角な各端辺に各々側面部材が延設され、
前記箱体形成片を組み立てた状態で、前記正面板、前記底面板、前記背面板及び前記上蓋片で囲まれた筒状体の両側端を、前記各側面部材で形成された側面部により各々閉鎖して収容部が形成された包装用箱において、
前記底面板には、該底面板の前記側面部材側の両端辺と、その各端辺の両端を起点とする破断線とで囲まれた押込部が一対に設けられ、
前記箱体形成片には、前記底面板及び一対の前記側面部にかけて連続しその幅方向の中心位置に形成されて、折曲げを容易にする廃棄用折曲線が設けられていることを特徴とする包装用箱。
【請求項２】
前記押込部を囲む破断線は、曲線状又は屈曲した直線状に設けられている請求項１記載の包装用箱。
【請求項３】
前記箱体形成片は、前記正面板、前記底面板、前記背面板及び前記上蓋片の連接方向に対して直角な各端辺に各々側面部材が延設され、
前記上蓋片から延設された一対の前記側面部材は、基端部が開封用の破断線により区切られ、前記箱体形成片を組み立てた状態で前記側面部の一部となる請求項１又は２記載の包装用箱。
【請求項４】
前記正面板及び前記背面板から延設された前記側面部材は、前記箱体形成片を組み立てた状態で、当該側面部材の先端部が前記側面部の前記廃棄用折曲線と重ならない形状である請求項１，２または３記載の包装用箱。
【発明の詳細な説明】
【技術分野】
【０００１】
この発明は、上蓋片を開閉して収容物を取り出す構造を有するとともに、解体用の切り込みを備えた包装用箱に関する。
【背景技術】
【０００２】
従来の、例えばラップアラウンドケース形の包装用箱として、特許文献１に開示されているように、一枚の箱体形成片から成り、箱体形成片には、正面板、底面板、背面板及び上蓋片が互いに平行に連接され、さらに各部の側方の端辺には一対の側面フラップが延設され、該箱体形成片を組み立てた状態で、正面板、底面板、背面板及び上蓋片で囲まれた筒状体の開口端が、複数の側面フラップが重なって構成される側面部で閉鎖されることによって収容部が形成される包装用箱がある。この包装用箱は、内側の収容部から物品を取り出すとき、上蓋片が背面板に連接された端辺を除いて開放され、開閉可能に使用されるものである。
【０００３】
また、上蓋片を開閉して収容物を取り出す構造の箱体を構成するものではないが、特許文献２に開示されているように、組み立て状態で、底面板の端部から複数のフラップを接合した側面部に跨る所定の位置に、解体用切込線が設けられたラップアラウンドケース形の包装用箱もある。この包装用箱は、解体用切込線を破断することによって、立体的な箱体を平らな状態に展開することができる。
【先行技術文献】
【特許文献】
【０００４】
【特許文献１】特開２００８−２８００５２号公報
【特許文献２】特開２００８−２１３８９０号公報
【発明の概要】
【発明が解決しようとする課題】
【０００５】
この種の包装用箱は、使用した後に廃棄する際、嵩張らないように平らな状態に解体できることが望ましい。しかし、特許文献１の包装用箱は、使用後に平らな状態に解体する作業が簡単ではないという問題があった。この包装用箱を平らな状態に解体するためには、例えば、複数の側面フラップが糊付けされて成る側面部の糊付け部分を引き剥がしたり、側面フラップの付け根部分をハサミやカッターで切断したりする必要がある。従って、小さな子供やお年寄り等にとっては必ずしも簡単な作業ではなく、一般の大人にとっても手間が掛かり非常に面倒なものであった。
【０００６】
また、特許文献２の包装用箱のような底面板の端部から側面部に跨る解体用切込線を設けた構造を、特許文献１の包装用箱に適用することも考えられる。しかし、特許文献１の包装用箱の場合、特許文献２の包装用箱とは異なり、上蓋片が開閉可能に使用された後に解体されることになるので、当初連続していた上蓋片と側面フラップとの境界部が既に切り離された状態になっている。そのため、特許文献１の包装用箱に上記の解体用切込線を設け、解体時に解体用切込線を破断すると、側面部の一部が分離独立してしまい、廃棄時の取り扱いが煩雑になるという問題が生じる。
【０００７】
この発明は、上記背景技術に鑑みて成されたもので、上蓋片を開閉する態様で使用された後、容易に解体することができる包装用箱を提供することを目的とする。
【課題を解決するための手段】
【０００８】
本発明は、一枚のブランクシートから一体的に打ち抜かれた箱体形成片から成り、前記箱体形成片には、正面板、底面板、背面板及び上蓋片が順に互いに平行に連接され、前記正面板、前記底面板、及び前記背面板の連接方向に対して直角な各端辺に各々側面部材が延設され、前記箱体形成片を組み立てた状態で、前記正面板、前記底面板、前記背面板及び前記上蓋片で囲まれた筒状体の両側端を、前記各側面部材で形成された側面部により各々閉鎖して収容部が形成された包装用箱であって、前記底面板には、該底面板の前記側面部材側の両端辺と、その各端辺の両端を起点とする破断線とで囲まれた押込部が一対に設けられ、前記箱体形成片には、前記底面板及び一対の前記側面部にかけて連続しその幅方向の中心位置に形成されて、折曲げを容易にする廃棄用折曲線が設けられている包装用箱である。
【０００９】
前記押込部を囲む破断線は、曲線状又は屈曲した直線状に設けられていても良い。さらに、前記箱体形成片は、前記正面板、前記底面板、前記背面板及び前記上蓋片の連接方向に対して直角な各端辺に各々側面部材が延設され、前記上蓋片から延設された一対の前記側面部材は、基端部が開封用の破断線により区切られ、前記箱体形成片を組み立てた状態で前記側面部の一部となるものである。
【００１０】
さらに、前記正面板及び前記背面板から延設された前記側面部材は、前記箱体形成片を組み立てた状態で、当該側面部材の先端部が前記側面部の前記廃棄用折曲線と重ならない形状である。
【発明の効果】
【００１１】
本発明の包装用箱は、使用後、廃棄のために解体するときに、簡単な動作により、容易に平らな状態に折り畳むことができ廃棄しやすい。
【図面の簡単な説明】
【００１２】
【図１】この発明の一実施形態の包装用箱の上蓋片を開いた状態を示す斜視図である。
【図２】この発明の一実施形態の包装用箱の押し込み部を押し込んだ状態を示す斜視図である。
【図３】この発明の一実施形態の包装用箱を平らに折り畳んだ状態を示す斜視図である。
【図４】この発明の一実施形態の包装用箱の展開図である。
【図５】この発明の一実施形態の包装用箱の上蓋片を開封する前の状態を示す斜視図である。
【図６】この発明の一実施形態の包装用箱の上蓋片を開封して商品を取り出す様子を示す斜視図である。
【図７】この発明の他の実施形態の包装用箱を示す展開図である。
【図８】この発明のさらに他の実施形態を示す斜視図である。
【発明を実施するための形態】
【００１３】
以下、この発明の一実施形態について、図１〜図６に基づいて説明する。この実施形態の包装用箱１０は、紙製の一枚のブランクシートを打ち抜いて形成されたラップアラウンド型の箱体形成片１２を組み立てて成る。
【００１４】
図４は箱体形成片１２を表面から見た展開図である。箱体形成片１２は、組み立て状態で正面に位置する正面板１４から順に、底面板１６、背面板１８、上蓋片２０が、互いに平行に連接して形成されている。正面板１４、底面板１６、背面板１８、上蓋片２０は、連接している幅方向はほぼ同じ長さであり、連接方向の長さは正面板１４、背面板１８が長くて互いにほぼ等しく、底面板１６、上蓋片２０は短くて互いにほぼ等しい。さらに上蓋片２０の連接方向の端辺には、包装用箱１０の組み立て状態で正面板１４の内側に差し込まれる差込片２２が設けられている。正面板１４、底面板１６、背面板１８、上蓋片２０、差込片２２は、各々折罫線２４，２６，２８，３０で区切られている。
【００１５】
正面板１４には、底面板１６と反対側の端辺の中央部に、半円状の切り欠き１４ａが設けられている。底面板１６との連接方向に対して直角な一端辺には、台形状の側面部材である側面フラップ３２が折罫線３４で区切られて設けられている。側面フラップ３２の折罫線３４から先端までの長さは、底面板１６の、連接方向の長さの半分よりも僅かに短く設けられている。正面板１４の折罫線３４と反対側の端辺には、側面フラップ３２とほぼ同形の側面フラップ３６が折罫線３８で区切られて設けられている。
【００１６】
底面板１６の、正面板１４の折罫線３４に隣接する端辺には、台形状の側面フラップ４０が折罫線４２で区切られて設けられている。側面フラップ４０の折罫線４２から先端までの長さは、正面板１４の連接方向の長さのほぼ半分に設けられている。底面板１６の折罫線４２と反対側の端辺には、側面フラップ４０とほぼ同形の側面フラップ４４が折罫線４６で区切られて設けられている。
【００１７】
さらに、底面板１６には、折罫線４２の両端を起点とする円弧状の破断線４８が設けられ、折罫線４２と破断線４８とで囲まれた押込部５０が形成されている。底面板１６の折罫線４６側にも、折罫線４６の両端を起点とする円弧状の破断線５２が設けられ、折罫線４６と破断線５２とで囲まれた押込部５４が形成されている。側面フラップ４０、底板面１６及び側面フラップ４４が連続する幅方向の中心位置には、廃棄用折曲線５６ａ，５６ｂ，５６ｃが設けられている。
【００１８】
背面板１８の、底面板１６の折罫線４２に隣接する端辺には、台形状の側面フラップ５８が折罫線６０で区切られて設けられている。側面フラップ５８は、側面フラップ３２とほぼ同じ形状である。背面板１８の折罫線６０と反対側の端辺には、側面フラップ５８とほぼ同形の側面フラップ６２が折罫線６４で区切られて設けられている。
【００１９】
上蓋片２０の、背面板１８の折罫線６０に隣接する端辺には、台形状の側面フラップ６６が破断線６８で区切られて設けられている。側面フラップ６６は、側面フラップ４０とほぼ同じ形状である。上蓋片２０の破断線６８と反対側の端辺には、側面フラップ６６とほぼ同形の側面フラップ７０が破断線７２で区切られて設けられている。さらに、側面フラップ６６，７０の幅方向の中心位置に、廃棄用折曲線７４，７６が設けられている。
【００２０】
次に、この実施形態の包装用箱１０の組み立て方法の一例について説明する。なお、ここでは図４が包装用箱１０の箱体形成片１２の表面を見たものであり、箱体形成片１２の表面が凸になる折り方を正折り、そして裏面が凸になる折り方を逆折りと称する。
【００２１】
先ず、側面フラップ４０，４４，６６，７０の裏面に各々糊７８を塗布する。次に、箱体形成片１２の裏面を上にして広げ、所定の位置に収容物である商品８０を並べて置く。ここでは１０個の商品８０を、５個ずつの２列に分けて隙間無く並べる。そして、折罫線２４，２６，２８，３０を９０度に正折りして正面板１４、底面板１６、面背板１８、上蓋片２０で商品８０を筒状に包む。このとき、差込片２２は、正面板１４の裏面側と商品８０の間に差し込まれる。
【００２２】
次に、折罫線３４，６０で側面フラップ３２，５８を９０度に正折りし、折罫線４２と破断線６８で側面フラップ４０，６６を９０度に正折りする。このとき、側面フラップ４０，６６の裏面が、側面フラップ３２，５８の表面に糊７８で糊付けされて、一方の端部を閉鎖する側面部８２が形成される。次に、折罫線３８，６４で側面フラップ３６，６２を９０度に正折りし、折罫線４６と破断線７２で側面フラップ４４，７０を９０度に正折りする。このとき、側面フラップ４４，７０の裏面が、側面フラップ３６，６２の表面に糊７８で糊付けされて、他方の端部を閉鎖する側面部８４が形成される。
【００２３】
以上のような工程で包装用箱１２の組み立てを行うことができる。なお、箱体形成片１２を組み立てる順番はこれ以外でもよく、適宜変更可能である。
【００２４】
この実施形態の包装用箱１０の開封するときは、正面板１４の切り欠き１４ａから露出している差込片２２部分に指を掛け、差込片２２を持ち上げる。すると、上蓋片２０に対して上方へ引き上げられる力がかかり、図６に示すように破断線６８，７２が破れて上蓋片２０が開閉自在な状態となり、収容部に収められた商品８０を取り出すことが可能になる。
【００２５】
次に、この実施形態の包装用箱１０を使用した後、廃棄のために解体する方法について、図１〜図３を用いて説明する。まず、空の包装用箱１０の上蓋片２０を開き、図１に示すように逆さまに置く。そして、図２に示すように、底面板１６の押込部５０，５４を指で押圧し、破断線４８，５２を破って内側に折り曲げる。
【００２６】
次に、折り曲げた押込部５０，５４に指を当てたまま、側面部８２，８４を外側に引き出すよう力を加える。このとき、底面板１６も上側に引き上げられるように僅かに上反りさせておくとよい。すると、図３に示すように、側面部８２が廃棄用折曲線５６ａ，７４で折り曲げられ、押込部５０は廃棄用折曲線５６ｂで折り曲げられ、これらが重なるように平らな状態に折り畳まれる。同様に、側面部８４は廃棄用折曲線５６ｃ，７６で折り曲げられ、押込部５４は廃棄用折罫線５６ｂで折り曲げられ、これらが重なるように平らな状態に折り畳まれる。また、底面板１６は、廃棄用折罫線５６ｂで折り曲げられ、平らな状態に折り畳まれる。すなわち、包装用箱１０は、全体として平らな状態に折り畳まれることになる。
【００２７】
このとき、側面フラップ３２，５８は、先端部までの長さが短いので、組み立てた状態で互いに重ならないようになっている。また、側面フラップ３６，６２も、先端部までの長さが短いので、組み立てた状態で互いに重ならないようになっている。従って、側面部８２，８４は、側面フラップ３２，５８が存在しない部分で折り曲げられることになり、側面フラップ３２，５８が上記の折り畳み動作を妨げることはない。
【００２８】
以上説明したように、この実施形態の包装用箱１０は、底面板１６の押込部５０，５４を切り離すための破断線４８，５２という簡単な構成を付加することにより、容易に解体することができる。特に、側面部８２，８４の糊付け部を剥離するような強い力を加える必要がないので、子供やお年寄りでも簡単で解体することができ、ハサミやカッターで側面部８２．８４の端部を切り離す等の面倒な動作も必要ない。また、解体したときに特定の部分が分離独立することがないので、包装用箱１０を解体した後、廃棄する際の取り扱いも容易である。
【００２９】
また、折り畳み補助の廃棄用折罫線５６ａ，５６ｂ，５６ｃ，７４，７６を設けることによって、底面板１６、側面部８２，８４及び押込片５０，５４が折り畳み易くなり、特に、箱体形成片１２として比較的厚手の素材を使用するときに有効である。
【００３０】
なお、この発明の包装用箱は、ラップアラウンド型ではなく、図７に示すように側面フラップを有しない、通常の天面を有した上蓋片２０を備えたものでもよい。この箱体形成片８６について、上記実施形態と同様の構成は同一の符号を付して説明すると、組み立て状態で、正面に位置する正面板１４から順に、底面板１６、背面板１８、上蓋片２０が、互いに平行に連接して形成されている。上蓋片２０の連接方向の端辺には、包装用箱の組み立て状態で正面板１４の内側に差し込まれる差込片２２が設けられている。正面板１４の、底面板１６との連接方向に対して直角な一端辺には、台形状の側面部材である側面フラップ３２が折罫線３４で区切られて設けられている。側面フラップ３２の折罫線３４から先端までの長さは、底面板１６の、連接方向の長さの半分よりも僅かに短く設けられている。正面板１４の折罫線３４と反対側の端辺にも、側面フラップ３２とほぼ同形の側面フラップ３６が折罫線３８で区切られて設けられている。
【００３１】
背面板１８の、底面板１６の折罫線４２に隣接する端辺にも、台形状の側面フラップ５８が折罫線６０で区切られて設けられている。側面フラップ５８は、側面フラップ３２とほぼ同じ形状である。背面板１８の折罫線６０と反対側の端辺には、側面フラップ５８とほぼ同形の側面フラップ６２が折罫線６４で区切られて設けられている。
【００３２】
底面板１６の、正面板１４の折罫線３４，３８に隣接する端辺には、折罫線３４，３８と等しい長さの辺を有し、折罫線３４，３８と接する辺を他の一辺とする四角形の側面部材８８，９０が、各々折罫線４２，４６で区切られて設けられている。各側面部材８８，９０の折罫線４２，４６とは反対側の辺には、折罫線９２，９４を挟んで、略台形状のフラップ９６，９８が設けられている。
【００３３】
さらに、底面板１６には、折罫線４２の両端を起点とする円弧状の破断線４８が設けられ、折罫線４２と破断線４８とで囲まれた押込部５０が形成されている。底面板１６の折罫線４６側にも、折罫線４６の両端を起点とする円弧状の破断線５２が設けられ、折罫線４６と破断線５２とで囲まれた押込部５４が形成されている。底板面１６、側面部材８８，９０、及びフラップ９６，９８が連続する幅方向の中心位置に、廃棄用折曲線１００ａ，１００ｂ，１００ｃ，１００ｄ，１００ｅが一直線上に設けられている。
【００３４】
この実施形態の包装用箱の組み立ては、一般的な箱体と同様に、側面フラップ３２，３６，５８，６２と側面部材８８，９０を各々糊付けして箱体を形成する。そして、内部に商品を収容した後、上蓋片２０を閉じて、差込片２２を正面板１４の内側に差し込み、封緘する。
【００３５】
この実施形態の箱体形成片８６で形成される包装用箱によっても、上記実施形態の包装用箱１０と同様の作用効果を有するものである。
【００３６】
なお、この発明の包装用箱は上記各実施形態に限定されるものではなく、底面板の押込部を囲む破断線の形状は、図８に示すようなＶ字状、あるいは半楕円状、台形状など、曲線状又は屈曲した直線状等、自由に変更することができる。
【００３７】
さらに、箱体形成片として通常は上質の厚紙が使用されるが、段ボール紙や片段ボール紙でも良い。また、比較的容易に折り畳むことができる場合などには、折り畳み補助の廃棄用折曲線の全部又は一部を省略してもよい。
【００３８】
また、例えば、正面板の側面フラップと背面板の側面フラップとが長めに設けられ、組み立て状態で重なり合うことによって包装用箱の側面部の強度が強くなっている場合には、当該側面フラップが解体時に折り曲げられる位置、すなわち、上記実施形態における廃棄用折曲線と重なる位置に、同様の廃棄用折曲線を設けておくことにより、解体作業を容易にすることができる。
【符号の説明】
【００３９】
１０  包装用箱
１２  箱体形成片
１４  正面板
１６  底面板
１８  背面板
２０  上蓋片
２２  差込片
３２，３６，４０，４４，５８，６２，６６，７０  側面フラップ
５０，５４  押込部
４８，５２  破断線
５６ａ，５６ｂ，５６ｃ，７４，７６  廃棄用折曲線
８２，８４  側面部
【図１】
0005571405.tif 000002
【図２】
0005571405.tif 000003
【図３】
0005571405.tif 000004
【図４】
0005571405.tif 000005
【図５】
0005571405.tif 000006
【図６】
0005571405.tif 000007
【図７】
0005571405.tif 000008
【図８】
0005571405.tif 000009